(57)【要約】      （修正有）【課題】同一の拡張された制御領域においてローカライズドされた制御チャネルメッセージと周波数分散された制御チャネルメッセージとの両方をサポートする。【解決手段】少なくとも２つの物理リソースブロック（ＰＲＢ）ペアのセットから構成された拡張制御領域を含むダウンリンク信号を受信する。さらに、分散拡張制御チャネルエレメント（ｅＣＣＥ）を形成するために複数のＰＲＢペアからの物理レイヤービルディングブロックをアグリゲーションし、ＰＲＢペアの第１のセットから１つ以上の分散ｅＣＣＥを形成することを実行する。ＰＲＢペアの第２のセットにおける単一のＰＲＢペア内のビルディングブロックからローカライズドされたｅＣＣＥのそれぞれが形成されるように第２のセットから１つ以上のローカライズドされたｅＣＣＥが形成される。制御チャネルメッセージの候補は分散ｅＣＣＥとローカライズドされたｅＣＣＥとから形成され、デコードされる。【選択図】図２０
2019205174.tif 000002
【特許請求の範囲】
【請求項１】
ユーザ装置において無線通信ネットワークにおける制御情報を受信する方法であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を受信すること（２０１０）を有し、
さらに、前記方法は、
分散された拡張制御チャネルエレメント（ｅＣＣＥ）のそれぞれを形成するために複数のＰＲＢペアからの物理レイヤービルディングブロックをアグリゲーションすることによってＰＲＢペアの第１のセットから１つ以上の分散されたｅＣＣＥを形成すること（２０２０）と、
ＰＲＢペアの第２のセットにおける単一のＰＲＢペア内からの物理レイヤービルディングブロックからローカライズドされたｅＣＣＥのそれぞれが形成されるよう物理レイヤービルディングブロックをアグリゲーションすることによって前記ＰＲＢペアの第２のセットから１つ以上のローカライズドされたｅＣＣＥを形成すること（２０３０）と、
前記分散されたｅＣＣＥから第１の制御チャネルメッセージの候補を形成するともに、前記ローカライズドされたｅＣＣＥから第２の制御チャネルメッセージの候補を形成すること（２０５０）と、
有効な制御チャネルメッセージをサーチするために前記第１の制御チャネルメッセージの候補と前記第２の制御チャネルメッセージの候補をデコードすること（２０６０）と
を有することを特徴とする方法。
【請求項２】
前記無線通信ネットワークはロングタームエボリューション（ＬＴＥ）の無線ネットワークであり、前記物理レイヤービルディングブロックはそれぞれが８個または９個のリソースエレメントから構成された拡張リソースエレメントグループ（ｅＲＥＧ）であることを特徴とする請求項１に記載の方法。
【請求項３】
前記第１および前記第２の制御チャネルメッセージの候補を形成すること（２０２０、２０３０）は、２つ以上の前記ローカライズドされたｅＣＣＥまたは２つ以上の前記分散されたｅＣＣＥ、または、これらの両方をアグリゲーションすることによって前記制御チャネルメッセージの候補の少なくともいくつかを形成することを含むことを特徴とする請求項１または２に記載の方法。
【請求項４】
前記ＰＲＢペアを前記ＰＲＢペアの第１のセットと前記ＰＲＢペアの第２のセットとに分割することを示す無線リソース制御（ＲＲＣ）シグナリングを受信することをさらに有することを特徴とする請求項１ないし３のいずれか１項に記載の方法。
【請求項５】
追加の分散されたｅＣＣＥのそれぞれを形成するために複数のＰＲＢペアからの物理レイヤービルディングブロックをアグリゲーションすることによってＰＲＢペアの第３のセットから１つ以上の追加の分散されたｅＣＣＥを形成すること（２０４０）と、
前記ＰＲＢペアの第３のセットにおける単一のＰＲＢペア内からの物理レイヤービルディングブロックから追加のローカライズドされたｅＣＣＥが形成されるよう物理レイヤービルディングブロックをアグリゲーションすることによって前記ＰＲＢペアの第３のセットから１つ以上の追加のローカライズドされたｅＣＣＥを形成すること（２０４０）と、
前記追加の分散されたｅＣＣＥから１つ以上の第３の制御チャネルメッセージの候補を形成するとともに、前記追加のローカライズドされたｅＣＣＥから１つ以上の第４の制御チャネルメッセージの候補を形成することと、
有効な制御チャネルメッセージをサーチするために前記第３および前記第４の制御チャネルメッセージの候補をデコードすることと
をさらに有することを特徴とする請求項１ないし４のいずれか１項に記載の方法。
【請求項６】
前記ＰＲＢペアの第３のセットにおける分割ポイントを示す無線リソース制御（ＲＲＣ）シグナリングを受信することをさらに有し、前記分割ポイントは、前記ＰＲＢペアの第３のセットを、前記追加のローカライズドされたｅＣＣＥを形成するために使用される第１の部分と、前記追加の分散されたｅＣＣＥを形成するために使用される第２の部分とに分割するものであることを特徴とする請求項５に記載の方法。
【請求項７】
前記分散されたｅＣＣＥから前記第１の制御チャネルメッセージの候補を形成し、前記ローカライズドされたｅＣＣＥから前記第２の制御チャネルメッセージの候補を形成すること（２２５）は、前記ダウンリンク信号についてのサブフレーム番号と前記ユーザ装置についての無線ネットワークテンポラリー識別子（ＲＮＴＩ）とにしたがって開始ｅＣＣＥ位置が変化するように、前記拡張制御領域内での開始ｅＣＣＥ位置を決定することと、前記開始ｅＣＣＥ位置に始まるｅＣＣＥからいくつかの制御チャネルメッセージの候補を形成することとを含むことを特徴とする請求項１ないし６のいずれか１項に記載の方法。
【請求項８】
前記開始ｅＣＣＥ位置を決定することと、前記いくつかの制御チャネルメッセージの候補を形成することとは、前記ローカライズドされたｅＣＣＥと前記分散されたｅＣＣＥとのそれぞれで独立して実行されることを特徴とする請求項７に記載の方法。
【請求項９】
前記第１の制御チャネルメッセージを形成するために使用される順番とは逆の順番で、番号を付与されたｅＣＣＥを辿って行くことで前記第２の制御チャネルメッセージが形成されるように、前記ローカライズドされたｅＣＣＥについての前記開始ｅＣＣＥ位置と、前記分散されたｅＣＣＥについての開始位置とが、前記番号を付与されたｅＣＣＥの範囲における両端または両端に近い位置に配置されていることを特徴とする請求項８に記載の方法。
【請求項１０】
無線ネットワークノードによって制御されるセルにおいて複数のユーザ装置にサービスが提供される無線通信ネットワークにおいて前記無線ネットワークノードで制御情報を送信する方法であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を送信することを有し、
さらに、前記方法は、
分散された拡張制御チャネルエレメント（ｅＣＣＥ）のそれぞれが複数のＰＲＢペアからの物理レイヤービルディングブロックをアグリゲーションしたものから形成されており、ＰＲＢペアの第１のセットにおける分散されたｅＣＣＥに対して１つ以上の第１の制御チャネルメッセージをマッピングすること（２１１０）と、
ローカライズドされたｅＣＣＥのそれぞれが単一のＰＲＢペア内からの物理レイヤービルディングブロックをアグリゲーションすることによって形成されており、ＰＲＢペアの第２のセットにおけるローカライズドされたｅＣＣＥに対して１つ以上の第２の制御チャネルメッセージをマッピングすること（２１２０）と、
前記ダウンリンク信号のサブフレームにおいて前記第１の制御チャネルメッセージと前記第２の制御チャネルメッセージとを送信すること（２１４０）と
を有することを特徴とする方法。
【請求項１１】
前記無線通信ネットワークはロングタームエボリューション（ＬＴＥ）の無線ネットワークであり、前記物理レイヤービルディングブロックはそれぞれが８個または９個のリソースエレメントから構成された拡張リソースエレメントグループ（ｅＲＥＧ）であることを特徴とする請求項１０に記載の方法。
【請求項１２】
前記第１および前記第２の制御チャネルメッセージの少なくともいくつかを前記分散されたｅＣＣＥと前記ローカライズドされたｅＣＣＥとにマッピングすることは、２つ以上の前記ローカライズドされたｅＣＣＥまたは２つ以上の前記分散されたｅＣＣＥをアグリゲーションしたものに制御チャネルメッセージをマッピングすることを含むことを特徴とする請求項１０または１１に記載の方法。
【請求項１３】
前記ＰＲＢペアを前記ＰＲＢペアの第１のセットと前記ＰＲＢペアの第２のセットとに分割することを示す無線リソース制御（ＲＲＣ）シグナリングを送信することをさらに有することを特徴とする請求項１０ないし１２のいずれか１項に記載の方法。
【請求項１４】
複数のＰＲＢペアからの物理レイヤービルディングブロックをアグリゲーションしたものから分散された拡張制御チャネルエレメント（ｅＣＣＥ）のそれぞれが形成されており、ＰＲＢペアの第３のセットにおいて当該分散されたｅＣＣＥに対して１つ以上の第３の制御チャネルメッセージをマッピングすること（２１３０）と、
単一のＰＲＢペア内からの物理レイヤービルディングブロックをアグリゲーションしたものからローカライズドされたｅＣＣＥのそれぞれが形成されており、前記ＰＲＢペアの第３のセットにおいて当該ローカライズドされたｅＣＣＥに対して１つ以上の第４の制御チャネルメッセージをマッピングすること（２１３０）と、
前記第３の制御チャネルメッセージと前記第４の制御チャネルメッセージとを前記ダウンリンク信号の前記サブフレームで送信することと
を有することを特徴とする請求項１０ないし１３のいずれか１項に記載の方法。
【請求項１５】
前記ＰＲＢペアの第３のセットにおける分割ポイントを示す無線リソース制御（ＲＲＣ）シグナリングを送信することをさらに有し、前記分割ポイントは、前記ＰＲＢペアの第３のセットを、前記ローカライズドされたｅＣＣＥに対してマッピングされる制御チャネルのために使用される第１の部分と、前記分散されたｅＣＣＥに対してマッピングされる制御チャネルメッセージのために使用される第２の部分とに分割するものであることを特徴とする請求項１４に記載の方法。
【請求項１６】
基地局であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を送信するように適合した通信装置（２２２０）と、
処理回路（２２１０）と
を有し、
前記処理回路（２２１０）は、請求項９ないし１５のうちいずれか１項に記載された方法を実行するように適合していることを特徴とする基地局。
【請求項１７】
ユーザ装置であって、
それぞれがオーバラップしていない物理レイヤービルディングブロックのグループから構成される物理リソースブロック（ＰＲＢ）ペアであって、前記ＰＲＢペアの少なくとも２つのセットから構成される拡張制御領域を有するダウンリンク信号を受信するように適合した通信装置（２２２０）と、
処理回路（２２１０）と
を有し、
前記処理回路（２２１０）は、請求項１ないし９のうちいずれか１項に記載された方法を実行するように適合していることを特徴とするユーザ装置。
【請求項１８】
非一時的なコンピュータ可読記憶媒体（２２６０）を有するコンピュータプログラムプロダクトであって、当該コンピュータ可読記憶媒体（２２６０）は、無線通信ネットワークにおいて動作するよう構成されたユーザ装置におけるプロセッサによって実行されるように構成されたコンピュータプログラムインストラクションを有し、
前記コンピュータプログラムインストラクションは、
それぞれがオーバラップしていない物理レイヤービルディングブロックのグループから構成される物理リソースブロック（ＰＲＢ）ペアであって、前記ＰＲＢペアの少なくとも２つのセットにより構成された拡張制御領域を含むダウンリンク信号を前記ユーザ装置に受信させるプログラムインストラクションを有し、
さらに、
分散された拡張制御チャネルエレメント（ｅＣＣＥ）のそれぞれを形成するために複数のＰＲＢペアからの物理レイヤービルディングブロックをアグリゲーションすることによってＰＲＢペアの第１のセットから１つ以上の分散されたｅＣＣＥを前記ユーザ装置に形成させるプログラムインストラクションと、
ＰＲＢペアの第２のセットにおける単一のＰＲＢペア内からの物理レイヤービルディングブロックから各ローカライズドされたｅＣＣＥが形成されるよう物理レイヤービルディングブロックをアグリゲーションすることによって前記ＰＲＢペアの第２のセットから１つ以上のローカライズドされたｅＣＣＥを前記ユーザ装置に形成させるプログラムインストラクションと、
前記分散されたｅＣＣＥから第１の制御チャネルメッセージの候補を前記ユーザ装置に形成させ、前記ローカライズドされたｅＣＣＥから第２の制御チャネルメッセージの候補を前記ユーザ装置に形成させるプログラムインストラクションと、
有効な制御チャネルメッセージをサーチするために前記第１の制御チャネルメッセージの候補と前記第２の制御チャネルメッセージの候補のそれぞれを前記ユーザ装置にデコードさせるプログラムインストラクションと
を有することをと特徴とするコンピュータプログラムプロダクト。
【請求項１９】
非一時的なコンピュータ可読記憶媒体（２２６０）を有するコンピュータプログラムプロダクトであって、前記コンピュータ可読記憶媒体（２２６０）は、無線通信ネットワークにおいて動作するように構成された基地局の装置におけるプロセッサによって実行されるように構成されたコンピュータプログラムインストラクションを有し、
前記コンピュータプログラムインストラクションは、
それぞれがオーバラップしていない物理レイヤービルディングブロックのグループから構成される物理リソースブロック（ＰＲＢ）ペアであって、前記ＰＲＢペアの少なくとも２つのセットにより構成された拡張制御領域を含むダウンリンク信号を前記基地局に送信させるプログラムインストラクションを含み、
さらに、
分散された拡張制御チャネルエレメント（ｅＣＣＥ）のそれぞれが複数のＰＲＢペアからの物理レイヤービルディングブロックをアグリゲーションしたものから形成されており、ＰＲＢペアの第１のセットにおいて分散されたｅＣＣＥに対して１つ以上の第１の制御チャネルメッセージを前記基地局にマッピングさせるプログラムインストラクションと、
ローカライズドされたｅＣＣＥのそれぞれは、単一のＰＲＢペア内からの物理レイヤービルディングブロックをアグリゲーションしたものから形成されており、ＰＲＢペアの第２のセットにおいてローカライズドされたｅＣＣＥに対して１つ以上の第２の制御チャネルメッセージを前記基地局にマッピングさせるプログラムインストラクションと、
前記ダウンリンク信号のサブフレームにおいて前記第１の制御チャネルメッセージと前記第２の制御チャネルメッセージとを前記基地局に送信させるプログラムインストラクションと
を有することを特徴とするコンピュータプログラムプロダクト。
【発明の詳細な説明】
【技術分野】
【０００１】
本発明は無線通信ネットワークにおけるシグナリングの制御に関連する。
【背景技術】
【０００２】
［関連出願］
本願は２０１２年８月３日に出願された米国仮出願第61/679,140号の優先権の利益を享受するものである。当該米国仮出願の内容のすべてはここに援用により取り込まれているものとする。
【０００３】
第３世代パートナーシッププロジェクトはロングタームエボリューション（ＬＴＥ）技術として知られる第３世代無線通信を開発してきたが、これは進化型ユニバーサル地上無線アクセスネットワーク（ＵＴＲＡＮ）規格として文書化されている。ＬＴＥは広帯域移動無線通信技術であり、基地局（３ＧＰＰ規格書ではeNodeBまたはeNBと呼ばれている）から移動局（３ＧＰＰ規格書ではユーザ装置またはUEと呼ばれている）に直交周波数多重（OFDM）を使用して信号が送信される。OFDMは送信信号を複数のパラレルのサブキャリアの周波数に分離する。
【０００４】
より詳しく説明すると、ＬＴＥはダウンリンクにおいてOFDMを使用し、アップリンクにおいて離散フーリエ変換（DFT）拡散OFDMを使用する。基本的なＬＴＥのダウンリンク物理リソースは、時間−周波数リソースのグリッドとして見ることができる。図１はＬＴＥ用の例示的な時間周波数リソースグリッド５０の利用可能なスペクトラムの一部を示している。一般に、時間周波数グリッド５０は１ミリ秒のサブフレームに分割される。図２が示すように、各サブフレームはいくつかのＯＦＤＭシンボルを含んでいる。ノーマルのサイクリックプレフィックス（ＣＰ）の長さであれば、つまり、これは極端にシビアなマルチパス分散が予想されていない状況で使用される場合に適したものであるが、サブフレームは１４個のＯＦＤＭシンボルを有している。拡張されたサイクリックプレフィックスが使用される場合、サブフレームは１２個だけのＯＦＤＭシンボルを含むことになる。周波数ドメインでは、隣のサブキャリアとの間隔が１５ｋＨｚとなるように物理リソースが分割される。サブキャリアの数は割り当てられたシステム帯域に応じて変化する。時間周波数リソースグリッド５０の最小要素はリソースエレメントである。リソースエレメントは１つのＯＦＤＭシンボルインターバルの間に１つのＯＦＤＭサブキャリアを含むものである。
【０００５】
ＬＴＥのリソースエレメントはリソースブロック（ＲＢ）にグループ化され、最も典型的な構成は１２個のサブキャリアと７個のＯＦＤＭシンボルで形成される（１スロット）。したがって、ＲＢは典型的に８４個のＲＥを含むことになる。所与の無線サブフレーム（２つのスロット）において１２個のサブキャリアからなる同一のサブキャリアセットを占有している２つのＲＢはＲＢペアと呼ばれ、ノーマルのＣＰが使用される場合、６８個のリソースエレメントを含むことになる。したがって、ＬＴＥの無線サブフレームは周波数領域において複数のＲＢペアを含み、ＲＢペアの数は信号の帯域幅を決定している。時間領域において、ＬＴＥのダウンリンク送信は１０ｍｓの無線フレームに組織化されており、各無線フレームはそれぞれ同一のサイズの１０個のサブフレームから構成され、サブフレームの長さＴsubframeは１ｍｓである。
【０００６】
ｅＮＢによって１つ以上のＵＥに対して送信される信号は複数のアンテナから送信されてもよい。同様に、信号は複数のアンテナを備えたＵＥにより受信されうる。ｅＮＢ間での無線チャネルは複数のアンテナポートから送信された信号を歪めてしまう。ダウンリンクの送信信号を成功裏に復調するために、ＵＥはダウンリンクで送信される基準シンボル（ＲＳ）に頼る。これらの基準シンボルのいくつかは図２に示したリソースグリッド５０において示されている。これらの基準シンボルと時間周波数リソースグリッドにおけるこれらの位置は予めＵＥに知られており、したがってこれらの基準シンボル上で無線チャネルの影響を測定することによってチャネル推定を決定する。
【０００７】
無線リンクを介してユーザに送信されるメッセージは制御メッセージとデータメッセージとに大別される。制御メッセージはシステムの適切な動作を達成することに加え、システム内の各ＵＥが適切な動作を達成するために使用される。制御メッセージはＵＥからの送信電力などのように機能を制御するためのコマンドを含み、ＵＥによって受信されるべきデータがどのＲＢに搭載されているかを示すシグナリングなども含む。
【０００８】
システム機能に対するＬＴＥ信号において時間周波数リソースの特定の配置は物理チャネルと呼ばれる。たとえば、物理ダウンリンク制御チャネル（ＰＤＣＣＨ）はスケジューリングの情報と電力制御メッセージを搬送するために使用される物理チャネルである。物理ＨＡＲＱインジケータチャネル（ＰＨＩＣＨ）は直前のアップリンク送信に応答してＡＣＫ／ＮＡＣＫを搬送し、物理ブロードキャストチャネル（ＰＢＣＨ）はシステム情報を搬送する。プライマリおよびセカンダリ同期信号（ＰＳＳ／ＳＳＳ）も制御信号と考えられうるもので、時間および周波数において固定の位置で周期的に送信され、これによりネットワークへのアクセスを開始しようとするＵＥがこれらの信号を発見して同期できるようになっている。同様に、ＰＢＣＨはプライマリおよびセカンダリ同期信号（ＰＳＳ／ＳＳＳ）に対して相対的に固定された位置に配置されている。ＵＥはＢＣＨで送信されたシステム情報を受信し、このシステム情報を使用して当該ＵＥに対する個別の制御情報を搬送するＰＤＣＣＨを発見して復調して復号する。
【０００９】
ＬＴＥ規格のリリース１０によれば、ＵＥに対するすべてのメッセージは共通基準信号（ＣＲＳ）から導出されたチャネル推定値を使用して復調される。これにより、制御メッセージはセルワイドのカバレッジをもたらし、ＵＥの位置について特別の知識を有したｅＮＢなしで、セル内のすべてのＵＥに届くようになる。この一般的な手法の例外がＰＳＳとＳＳＳであり、これらはスタンドアローンの信号であり、復調の前にＣＲＳの受信を必要としない。サブフレームを構成する４つのＯＦＤＭシンボルの内の一番目のＯＦＤＭシンボルはそのような制御情報を搬送するために予約されており、これは図２、図３に示されている。制御領域として予約されているＯＦＤＭシンボルの実際の数は特定のセルの設定に応じて変化しうるものである。
【００１０】
制御メッセージは、１つだけのＵＥに対して送信される必要があるメッセージ（ＵＥ個別制御）と、ｅＮＢによってカバーされているセル内のすべてのＵＥまたは２つ以上のＵＥからなるいくつかのサブセットに送信される必要があるメッセージ（共通制御）とにカテゴリー分類可能である。前者のタイプのメッセージ（ＵＥ個別制御メッセージ）は典型的にはＰＤＣＣＨを介して送信される。
【００１１】
ＰＤＣＣＨタイプの制御メッセージはＣＲＳを用いて変調され、制御チャネルエレメント（ＣＣＥ）と呼ばれる複数のユニットにより送信されるもので、各ＣＣＥは３６個のＲＥを含んでいる。ＰＤＣＣＨメッセージは、１、２、４または８個のＣＣＥからなるアグリゲーションレベル（ＡＬ）を有していてもよい。これは、制御メッセージのリンクアダプテーションを実現する。各ＣＣＥは９個のリソースエレメントグループ（ＲＥＧ）にマッピングされ、各ＲＥＧは４個のＲＥで構成されている。所与のＣＣＥについてのＲＥＧはシステム帯域にわたって分散配置されており、ＣＣＥについての周波数ダイバーシチ効果を提供する。これは図３に示されている。したがって、ＰＤＣＣＨメッセージは４つのＯＦＤＭシンボルにおける１番目のＯＦＤＭシンボルにおいてシステム帯域の全体にわたって拡散配置された８個のＣＣＥから構成されうるものであり、これは設定にしたがう。
【００１２】
ｅＮＢにおけるＰＤＣＣＨメッセージの処理はチャネルコーディング、スクランブリング、変調および制御情報のインターリーブから開始される。変調されたシンボルは制御領域のリソースエレメントにマッピングされる、上述したように、制御チャネルエレメント（ＣＣＥ）は定義されており、各ＣＣＥは３６個のリソースエレメントにマッピングされる。アグリゲーションレベルを選択することによって、ＰＤＣＣＨのリンクアダプテーションが実現される。サブフレームで送信されるすべてのＰＤＣＣＨに対して全体として、ＮＣＣＥ個のＣＣＥが利用可能となっており、ＮＣＣＥという数は、サブフレーム間で変化しうるものであるが、これは制御シンボルの数ｎと設定されたＰＨＩＣＨリソースの数とに依存する。
【００１３】
ＮＣＣＥはサブフレーム間で変化しうるものであるため、受信側の端末は特定のＰＤＣＣＨについてのＣＣＥの位置だけでなく、ＰＤＣＣＨで使用されるＣＣＥの数もブラインドで決定できねばならない。何の制約もなければ、これは演算的に強烈な復号タスクとなり得る。したがって、端末が試みなければならない可能なブラインド復号の数についてのいくつかの制約が導入されており、これはＬＴＥのリリース８において規格化されている。１つの制約は、ＣＣＥに番号が付与され、サイズＫのＣＣＥアグリゲーションレベルは、Ｋによって割り切れる数のＣＣＥ番号でだけ開始されるようになっている。これは図４に示されており、とりわけ、アグリゲーションレベルＡＬ−１，ＡＬ−２，ＡＬ−４およびＡＬ−８についてのＣＣＥアグリゲーションが示されている。たとえば、ＡＬ−８のＰＤＣＣＨメッセージは８個のＣＣＥで構成されており、０番、８番、１６番・・・というように番号付けされたＣＣＥでだけ開始される。
【００１４】
端末は、ＵＥサーチ空間と呼ばれるＣＣＥのセットにわたってブラインド復号して有効なＰＤＣＣＨをサーチしなければならない。これは、端末が所与のＡＬについてスケジューリングの割り当てや他の制御情報を受け取るために監視すべきことになっているＣＣＥのセットである。したがって、各サブフレームでかつ各ＡＬについて端末はその端末のサーチ空間におけるＣＣＥによって形成されうるＰＤＣＣＨの候補のすべてについて復号を試みる。当該試みた復号について巡回冗長検査（ＣＲＣ）がチェック成功した場合、そのＰＤＣＣＨの候補の内容はその端末にとって有効なものと判別され、当該端末は受信した情報にさらなる処理を実行する。なお、２つ以上の端末はサーチ空間が重複していてもよいが、この場合はネットワークはそのうちの１つの端末だけを制御チャネルのスケジューリングのために選択しなければならない。このような状況が発生すると、スケジューリングされなかった端末はブロックされたことになる。ＵＥのサーチ空間はサブフレームが変わるごとに擬似ランダムで変化し、ブロックされる確率が低減される。
【００１５】
ＬＴＥ規格のリリース１１では、拡張された制御チャネルの形式で制御情報のＵＥ個別送信を導入することが合意されている。これはＵＥに対する制御メッセージの送信を実施することによって実現されるが、ここで、この送信はＬＴＥのサブフレームにおけるデータ領域に配置されており、かつ、ＵＥ個別基準信号に基づいて実行されることになっている。制御メッセージのタイプに依存して、この手法により形成された拡張制御チャネルは、拡張ＰＤＣＣＨ（ｅＰＤＣＣＨ）や拡張ＰＨＩＣＨ（ｅＰＨＩＣＨ）などと呼ばれる。
【００１６】
リリース１１における拡張制御チャネルについては、復調用にｐ個のアンテナポートを使用することが合意されており（ｐ∈｛１０７，１０８，１０９，１１０｝）、これは基準シンボルの位置とアンテナポートｐへのシーケンスのセット（ｐ∈｛7,8,9,10｝）に対応しており、つまり、ＵＥ個別ＲＳを使用して物理データ共有チャネル（ＰＤＳＣＨ）上でデータを送信するために同一のアンテナポートが使用される。この拡張は、データ送信についてすでに利用可能となっているプリコーディングゲインが制御チャネルに対しても同様に達成可能であることを意味する。他の利点としては、拡張制御チャネル用の物理リソースブロックペア（ＰＲＢペア）が、異なるセルに対して割り当て可能となったり、セル内の異なる送信地点に対して割り当て可能となったりすることである。これは図５に示されており、ここでは１０個のＲＢペアが示されており、このうちの３個は、それぞれが１つのＰＲＢペアを有している３つの異なるｅＰＤＣＣＨ領域に配置されている。なお、残りのＲＢペアはＰＤＳＣＨの送信のために使用可能である。異なるＰＲＢペアを異なるセルまたは異なる送信地点に割り当てるための能力は、制御チャネルについてのセル間または地点間の干渉の調整を容易にする。これは異種ネットワークが混在するシナリオで特に有用であり、以下でより詳細に説明する。
【００１７】
セル内の異なる送信地点または異なるセルに属する複数の送信地点でそれほど大きな干渉を及ぼし合っていないときは、同一の拡張制御領域がこれらによって同時並行的に使用可能となる。典型的なケースは、セル共有のシナリオであり、この一例が図６に示されている。マクロセル６２はいくつかのより低電力なピコノードＡ、Ｂ、Ｃをそのカバレッジエリア６８に収容しており、ピコノードＡ、Ｂ、Ｃは同一の同期信号／セルＩＤを有しているか、関連付けられている。地理的に離れているピコノードにおいて、とりわけこれは図６ではピコノードＢとＣに相当するが、同一の拡張制御領域、すなわち、ｅＰＤＣＣＨに対して使用される同一のＰＲＢは、再利用可能となる。この手法を用いれば、共有セルにおけるトータルでの制御チャネルの容量が増加するが、これはセル内の異なる地域で潜在的に複数回にわたって所与のＰＲＢリソースが再利用されるからである。これは、エリア分割ゲインが得られることを保証する。図７には一例が示されており、ピコノードＢ、Ｃは拡張制御領域を共有しているが、ピコノードＡはピコノードＢ，Ｃに対して近接しており、他のノードに対して干渉を与えるおそれがあり、したがってオーバラップしないように拡張された制御領域が割り当てられる。共有セルにおけるピコノードＡとＢとの間、これは送信地点ＡとＢとの間と同義であるが、これらの間の干渉の調整がこのようにして達成される。なお、いくつかのケースでは、ＵＥが、マクロセルから制御チャネルのシグナリングの一部を受信し、隣接したピコセルから制御シグナリングの残りの部分を受信しなければならないこともある。
【００１８】
このエリア分割および制御チャネル周波数コーディネーション（調整）はＰＤＣＣＨについては実現できないが、これはＰＤＣＣＨが帯域の全体にわたって散らばっているからである。さらに、ＰＤＣＣＨはＵＥ個別プリコーディングを使用するための能力を提供していないが、これは復調のためにＣＲＳを使用しなければならないからである。
【００１９】
図８は複数のグループに分割され、拡張制御領域の１つにマッピングされるｅＰＤＣＣＨを示している。これは、ｅＰＤＣＣＨの「ローカライズド（集約）された」送信を示しており、ｅＰＤＣＣＨメッセージを形成しているすべてのグループが周波数領域で一緒にグループ化されている。これらの複数のグループはＰＤＣＣＨにおけるＣＣＥと類似している。また、図８が示すように、拡張制御領域は０番のＯＦＤＭシンボルからは開始されない。これはサブフレームにおけるＰＤＣＣＨの同時送信を収容することを意味する。しかし、上述したように、ＬＴＥの将来のリリースにおいてはＰＤＣＣＨが全く存在しないようなキャリアタイプも登場するかもしれず、そのようなケースでは拡張制御領域はサブフレームにおける０番のＯＦＤＭシンボルから開始されうるだろう。
【００２０】
図８に示されたｅＰＤＣＣＨのローカライズドされた送信によってＵＥ個別プリコーディングが実現される一方で（これは従来のＰＤＣＣＨに対する利点でもあるが）、いくつかのケースではブロードキャストで広範囲のエリアカバレッジに対して拡張された制御チャネルを送信できるようにすることが有用であるかもしれない。これはとりわけ、ｅＮＢがあるＵＥに対してプリコーディングを実行するための信頼性のある情報を有していない場合に、有用であり、そのようなケースでは広範囲のエリアカバレッジに対する送信がよりロバストになるであろう。分散送信が有用となるような別のケースは、複数のＵＥに向けて特定の制御メッセージを送信するときであり、なぜならそのようなケースではＵＥ個別プリコーディングを使用できないからである。これは、ＰＤＣＣＨを使用して共通の制御情報を送信するために採用される一般的なアプローチ（すなわち、共通サーチ空間（ＣＳＳ）である）。
【００２１】
したがって、図８に示したローカライズドされた送信に代えて、拡張制御領域を介した分散送信が使用可能である。図９にはｅＰＤＣＣＨの分散送信の一例が示されており、同一のｅＰＤＣＣＨに属している４つの部分が拡張制御領域にわたって分散して配置されている。
【００２２】
３ＧＰＰはｅＰＤＣＣＨのローカライズドされた送信と分散送信との両方についてサポートされるべきことについて合意しており、これらの２つのアプローチは図８、図９に対応している。
【００２３】
分散送信が使用されるときには、これはまたｅＰＤＣＣＨメッセージのダイバーシチオーダーを最大化するためにアンテナダイバーシチが使用される場合に有用であろう。一方で、ときには広帯域のチャネル品質と広帯域のプリコーディング情報とがｅＮＢで利用可能であることがあり、そのようなケースではＵＥ個別の広帯域のプリコーディングとともに分散送信を実行することが有用であろう。
【発明の概要】
【課題を解決するための手段】
【００２４】
ここに開示される技術および装置は、同一の制御領域においてローカライズドされたサーチ空間と分散されたサーチ空間との両方をサポートする手法を提供するものであり、各タイプについて割り当てられるリソースの量を設定する手段を有し、ＰＤＳＣＨ上でのスケジューリングの柔軟性に対する影響を軽減する。以下で詳細に説明するいくつかの実施形態では、これは、制御領域によって占有されるＲＢＧの数を設定し、制御チャネル領域を複数の部分に分割（すなわち、分散部分とローカライズドの部分とに分割）するＵＥ個別ポインタを導入することによって実現される。いくつかの実施形態では、同一の拡張制御領域において複数のタイプの制御チャネルの多重化をサポートするために、複数のポインタが使用される。いくつかの実施形態では、ローカライズドの部分におけるＣＣＥが逆順で番号を付与され、ローカライズドされたｅＰＤＣＣＨ送信の高度のアグリゲーションレベルを、サーチ区間デザインへの影響を制限しつつ実現できるようになる。サーチ空間のローカライズドの部分をクラスタにおける複数のセットにわたって散在させることで、４を超えるアグリゲーションレベルが複数の隣接したＰＲＢにマッピングされてもよく、所与のリソースの利用についてスケジューリングゲインを増大させる。
【００２５】
以下で詳細に開示される本技術の特定の実施形態は方法とそれに対応する装置を含む。例示的な方法はユーザ装置において実施されるものであり、無線ネットワークノードによって制御されるセルによってユーザ装置にサービスが提供される無線通信ネットワークにおいて制御情報を受信する方法であり、物理リソースブロック（ＰＲＢ）ペアの少なくとも２つのセットから構成される拡張制御領域を有するダウンリンク信号を受信することから開始され、各ＰＲＢペアは、オーバラップしていない物理レイヤービルディングブロックのグループから構成されている。本方法は、各分散された拡張制御チャネルエレメント（ｅＣＣＥ）を形成するために複数のＰＲＢペアからの物理レイヤービルディングブロックをアグリゲーションすることによって、ＰＲＢペアの第１セットから１つ以上の分散されたｅＣＣＥを形成することを続いて実行する。１つ以上のローカライズドされたｅＣＣＥはＰＲＢペアの第２セットから形成され、これは、各ローカライズドされたｅＣＣＥが第２セットにおける単一のＰＲＢペアのうちからの物理レイヤービルディングブロックから形成されるように物理レイヤービルディングブロックをアグリゲーションすることによって実行される。第１の制御チャネルメッセージの候補は分散されたｅＣＣＥから形成され、第２の制御チャネルメッセージの候補はローカライズドされたｅＣＣＥから形成される。これらの制御チャネルメッセージの候補は、有効な制御チャネルメッセージをサーチするために復号される。
【００２６】
例示的な本方法のいつくかの実施形態では、通信ネットワークはロングタームエボリューション（ＬＴＥ）の無線ネットワークであり、物理レイヤービルディングブロックは拡張リソースエレメントグループ（ｅＲＥＧ）であり、各ｅＲＥＧは８個または９個のリソースエレメントを有している。いくつかの実施形態では、第１の制御チャネルメッセージの候補と第２の制御チャネルメッセージの候補は、２つ以上のローカライズドされたｅＣＣＥまたは２つ以上の分散されたｅＣＣＥをアグリゲーションすることによって、形成される。いくつかの実施形態では、本方法は、ＰＲＢペアを第１のＰＲＢペアのセットと第２のＰＲＢペアのセットとに分割することを示す無線リソース制御（ＲＲＣ）シグナリングを受信することを含む。
【００２７】
いくつかの実施形態では、ＰＲＢペアの第３のセットがローカライズド部分と分散部分とを有し、このようなケースで本方法は上述したように、さらに、各追加の分散されたｅＣＣＥを形成するために複数のＰＲＢペアからの物理レイヤービルディングブロックをアグリゲーションすることによって、ＰＲＢペアの第３のセットから１つ以上の追加の分散されたｅＣＣＥを形成することと、ＰＲＢペアの第３のセットにおける単一のＰＲＢペアのうちからの物理レイヤービルディングブロックから各追加のローカライズドされたｅＣＣＥが形成されるように物理レイヤービルディングブロックをアグリゲーションすることによって、ＰＲＢペアの第３のセットから１つ以上の追加のローカライズドされたｅＣＣＥを形成することを含む。１つ以上の第３の制御チャネルメッセージの候補は追加の分散されたｅＣＣＥから形成され、１つ以上の第４の制御チャネルメッセージの候補は追加のローカライズドされたｅＣＣＥから形成され、これらの第３の制御チャネルメッセージの候補と第４の制御チャネルメッセージの候補は有効な制御チャネルメッセージをサーチするために復号される。いくつかの実施形態では、ＲＲＣシグナリングは、ＰＲＢペアの第３のセットにおける分割ポイントを示すために使用されてもよく、分割ポイントは第３のセットを、追加のローカライズドされたｅＣＣＥを形成するために使用される第１の部分と、追加の分散されたｅＣＣＥを形成するために使用される第２の部分とに、分割する。
【００２８】
他の実施形態は、無線ネットワークノードで実行される方法を含み、当該方法は当該無線ネットワークノードによって制御されるセルにより複数のユーザ装置がサービスを提供される無線通信ネットワークにおいて制御情報を送信する方法である。無線ネットワークノードは少なくとも２つのＰＲＢペアにより構成された拡張制御領域を有したダウンリンク信号を送信するものであり、各ＰＲＢペアはオーバラップしていない物理レイヤービルディングブロックのグループにより構成されている。本方法は、１つ以上の第１の制御チャネルメッセージを、ＰＲＢペアの第１のセットにおける分散されたｅＣＣＥに割り当てることを含み、各分散されたｅＣＣＥは複数のＰＲＢペアからの物理レイヤービルディングブロックのアグリゲーションから構成されており、さらに１つ以上の第２の制御チャネルメッセージを、ＰＲＢペアの第２のセットにおけるローカライズドされたｅＣＣＥに割り当てることを含み、各ローカライズドされたｅＣＣＥは単一のＰＲＢペア内の物理レイヤービルディングブロックのアグリゲーションから構成されている。第１の制御チャネルメッセージと第２の制御チャネルメッセージはダウンリンク信号のサブフレーム内で送信される。
【００２９】
いくつかの実施形態によれば、分散されたｅＣＣＥとローカライズドされたｅＣＣＥに対する第１の制御チャネルメッセージと第２の制御チャネルメッセージを割り当てることには、制御チャネルメッセージを２つ以上のローカライズドされたｅＣＣＥのアグリゲーションまたは２つ以上の分散されたｅＣＣＥのアグリゲーションに対してマッピングすることを含む。いくつかの実施形態では、さらに、ＰＲＢペアを第１のセットのＰＲＢペアと第２のセットのＰＲＢペアとに分割することを示すＲＲＣシグナリングを送信することを含む。いくつかの実施形態では、１つ以上の第３の制御チャネルメッセージが、ＰＲＢペアの第３のセットにおける分散された拡張制御チャネルエレメント（ｅＣＣＥ）にマッピングされ、各分散されたｅＣＣＥは複数のＰＲＢペアからの物理レイヤービルディングブロックのアグリゲーションから構成されており、１つ以上の第４の制御チャネルメッセージが、ＰＲＢペアの第３のセットにおけるローカライズドされたｅＣＣＥにマッピングされ、各ローカライズドされたｅＣＣＥは単一のＰＲＢペアからの物理レイヤービルディングブロックのアグリゲーションから構成されている。これらの実施形態において、第３の制御チャネルメッセージと第４の制御チャネルメッセージもまたダウンリンク信号のサブフレーム内で送信される。ＲＲＣシグナリングはＰＲＢペアの第３のセットにおける分割ポイントを示すために送信されてもよく、当該分割ポイントは第３のセットを、ローカライズドされたｅＣＣＥにマッピングされる制御チャネルメッセージのために使用される第１の部分と、分散されたｅＣＣＥにマッピングされる制御チャネルメッセージのために使用される第２の部分とに分割するポイントである。
【００３０】
さらに他の実施形態は、上記に要約されたものや以下で詳細に説明される１つ以上の方法を実行するように適合したユーザ装置および基地局に加え、これらに対応するコンピュータプログラムプロダクトを含む。もちろん、ここに記述される技術及び装置は、上述の要約された特徴や利点にのみ限定されるわけではない。当業者であれば、添付の図面を参照しながら以下の詳細な説明を読むことにより他の特徴や利点についても認識するであろう。
【図面の簡単な説明】
【００３１】
【図１】ＯＦＤＭ信号の時間−周波数リソースグリッドを示す図
【図２】ＬＴＥ信号のサブフレームを示す図
【図３】ＬＴＥサブフレームの制御領域に対するＣＣＥのマッピングを示す図
【図４】制御チャネルメッセージへのＣＣＥのアグリゲーションを示す図
【図５】ＬＴＥサブフレームに対する例示的な拡張制御チャネル領域のマッピングを示す図
【図６】例示的な異種（ヘテロジーニアス）ネットワークを示す図
【図７】異種ネットワークにおけるピコノードに対するｅＰＤＣＣＨの配置を示す図
【図８】拡張制御領域に対するｅＰＤＣＣＨのローカライズドされたマッピングを示す図
【図９】拡張制御領域に対するｅＰＤＣＣＨの拡散されたマッピングを示す図
【図１０】ここで開示されているいくつかの技術を適用できる例示的な無線通信ネットワークを示す図
【図１１】複数のＲＥＧにおけるＰＲＢをＰＲＢペアのセットに対してマッピングすることを示す図
【図１２】いくつかの実施形態によるｅＲＥＧとＰＲＢに対するｅＣＣＥの例示的なマッピングを示す図
【図１３】いくつかの実施形態による拡張制御チャネル信号のマッピングについてのプロセスフローを示す図
【図１４】分散技術によるｅＣＣＥへのｅＲＥＧのアグリゲーションを示す図
【図１５】集約（ローカライズド）技術によるｅＣＣＥへのｅＲＥＧのアグリゲーションを示す図
【図１６】ｅＲＥＧとＰＲＢに対するｅＣＣＥの他の例示的なマッピングを示す図
【図１７】複数のタイプの拡張制御チャネル領域の多重化をサポートした例示的な拡張制御領域を示す図
【図１８】分散された部分とローカライズドされた部分とに分割されたいくつかのパーティションをサポートした例示的な拡張制御領域の他の例を示す図
【図１９】制御領域パーティションにおける分散された部分またはローカライズドされた部分のそれぞれ内での独立したランダム化プロシージャの適用を示す図
【図２０】いくつかの実施形態によるＵＥでの例示的な方法を示す図
【図２１】本発明のいくつかの実施形態による基地局での例示的な方法を示す図
【図２２】いくつかの実施形態による例示的な無線ノードのコンポーネントを示す図
【発明を実施するための形態】
【００３２】
以下の説明では、ここで開示される技術及び装置の特定の実施形態についての特定の詳細が説明されるが、これは説明目的にすぎず、限定の意図はない。当業者であれば理解できることであるが、これらの特定の詳細を逸脱することなく他の実施形態を採用できる。さらに、よく知られた方法、ノード、インターフェース、回路およびデバイスなどのいくつかの詳細な例示は省略されるが、これは不必要な説明が邪魔にならないようにするためである。当業者であれば、ここで説明される機能が１つ以上のノードに実装されてもよいことを理解するであろう。ここで説明される機能のすべてまたはいくつかは、アナログおよび／またはディスクリートの論理ゲートを相互接続し、特定の機能を実行するＡＳＩＣ、ＰＬＡ、その他などのハードウエア回路を使用して、実装されてもよい。同様に、ここで説明される機能のすべてまたはいくつかは、１つ以上のデジタルマイクロプロセッサや汎用コンピュータとともにソフトウエアプログラムとデータを使用することで、実装されてもよい。エアインターフェースを使用して通信するノードが記述されているが、これらのノードは適切な無線通信回路を有しているものと理解されるであろう。さらに、これらの技術は、ここで説明される技術をプロセッサに実行させるコンピュータインストラクションの適切なセットを含むソリッドステートメモリや磁気ディスク、光ディスクなど、非一時的な形態を含む、コンピュータ可読メモリのいずれかの形態で実装されうることを追加的に考慮されうるものである。
【００３３】
ハードウエア実装は、限定なく、特定用途集積回路（ＡＳＩＣ）および／またはフィールドプログラマブルゲートアレイ（ＦＰＧＡ）、および、これらの機能を実行することが可能な状態マシーンなどを含むが、ただしこれらに限定されるわけではない、ハードウエア（たとえば、アナログやデジタル）回路、デジタル信号プロセッサ（ＤＳＰ）ハードウエア、縮小命令セットプロセッサを含むか包含してもよい。
【００３４】
コンピュータ実装の観点から、コンピュータは１つ以上のプロセッサや１つ以上のコントローラを含み、コンピュータ、プロセッサおよびコントローラといった用語は相互に置き換えされてもよい。コンピュータ、プロセッサまたはコントローラによって提供されるときには、これらの機能は、単一の専用のコンピュータ、プロセッサまたはコントローラによって提供されてもよいし、単一の共有のコンピュータ、プロセッサまたはコントローラによって提供されてもよいし、複数の個別のコンピュータ、プロセッサまたはコントローラによって提供されてもよく、これらのうちのいくつかは共用されてもよいし、分散されていてもよい。さらに、「プロセッサ」または「コントローラ」といった用語は上記に列挙した例示的なハードウエアのように、そのような機能および／またはソフトウエアを実行することができる他のハードウエアも指している。
【００３５】
次に図面を参照して説明するが、図１０は移動局１００に対して無線通信サービスを提供する例示的な移動通信ネットワーク１０を示している。これらの移動局１００は、ＬＴＥ用語では「ユーザ装置」または「ＵＥ」と呼ばれるものであり、図１０に示されている。移動局１００は、たとえば、セルラー電話機、パーソナルデジタルアシスタンス、スマートフォン、ラップトップコンピュータ、ハンドヘルドコンピュータ、または無線通信機能を有する他のデバイスを含みうる。なお、用語「移動局」または「移動端末」が使用されているが、移動通信ネットワークにおいて動作する端末を指しており、端末自体がモバイルであるか、移動可能であることは必ずしも必要ではない。したがって、当該用語は、あるマシーンからマシーンへの用途やポータブルデバイス、自動車などに搭載されるデバイスなど、固定される形態でインストールされる端末を指してもよい。
【００３６】
移動通信ネットワーク１０は複数の地理的なセルエリアまたはセクタ１２を有している。地理的なセルエリアまたはセクタ１２のそれぞれは、基地局２０によって収容（サービスを提供）され、ＬＴＥでは一般に進化型ノードＢ（ｅＮｏｄｅＢ）と呼ばれている。１つの基地局１０が複数の地理的なセルエリアまたはセクタ１２にサービスを提供してもよい。移動局１００は１つ以上のダウンリンク（ＤＬ）チャネルを介して基地局２０から信号を受信し、１つ以上のアップリンク（ＵＬ）チャネルを介して基地局２０に信号を送信する。
【００３７】
図示する目的で、いくつかの実施形態はロングタームエボリューション（ＬＴＥ）システムの内容でもって説明される。しかし、当業者であれば、ここで開示される技術がたとえばＷｉＭａｘ（ＩＥＥＥ802.16）システムを含む他の無線通信システムに対してより一般的に適用可能であることを理解するであろう。
【００３８】
上述したように、３ＧＰＰは、ＬＴＥ規格の第４のリリースにおいてｅＰＤＣＣＨの分散された送信とローカライズドされた送信との両方をサポートすることに合意している。拡張された制御チャネルの分散された送信だけでなく、ローカライズドされた送信についての複数のオプションをサポートするために、周波数領域において分散されたＰＲＢペアのセットが拡張された制御領域について割り当てられなければならない。単一のＰＲＢペアのセットによって提供されるものよりも高い制御チャネルキャパシティをサポートするために、拡張制御領域について複数のセットが割り当てられてもよい。なお、この割り当てはＵＥ個別を基本として実行されてもよく、つまり、異なるＵＥに対しては異なる割り当てが同時並行で実行されてもよい。
【００３９】
ＰＤＳＣＨの送信に使用されるＰＲＢペアはしばしばリソースブロックグループ（ＲＢＧ）の観点から割り当てられるが、これは周波数の方向で連続したＰＲＢのペアであり、所与のキャパシティのための拡張制御領域を含むＲＢＧの数を制限する上で有用である。これは拡張制御チャネルに対して同一のＲＢＧからＰＲＢペアの複数のセットを割り当てることにより実現される。多様なセットを形成するＲＢＧのグループはクラスタと呼ばれる。ＰＲＢペアは拡張制御領域の一部であるが、他の送信が発生しない場合にはＰＤＳＣＨのために使用されてもよい。リソースの分割に関するこの一例が図１１に示されている。この図示された例では、１つのＲＢＧあたり３つのＰＲＢが存在する。ＰＲＢペアのセットの数（３）はＲＢＧのサイズに等しい。１つのクラスタあたりのＲＢＧの数は４であり、これは１つのセットあたりで４つのＰＲＢが存在することを意味する。分散されたｅＰＤＣＣＨの送信は１つのセット内にマッピングされる。追加の制御リソースが必要となる場合、追加のクラスタが構成される。
【００４０】
ＬＴＥ用の３ＧＰＰ規格によって定義されているｅＰＤＣＣＨの制御領域は１つまたはいくつかのＰＲＢペアによって構成される。各ＰＲＢペアは、図１２に示すように、２次元グリッドを形成する、ｅＲＥＧに分割される。ｅＲＥＧは拡張制御チャネルのための物理レイヤービルディングブロックであり、９個のリソースエレメント（ＲＥ）を有しており、１つのＰＲＢペアあたり１６個のｅＲＥＧが存在する。図１２において、各正方形はｅＲＥＧを示しており、この例では１から１９２までの番号が付与されている。各コラム（列）がＰＲＢペアである。なお、各セットにおけるＰＲＢペア間の番号付けのギャップは、これらのＰＲＢペアが相互に（周波数ドメインにおいて）離れていることを示しており、つまり、セット内のＰＲＢペアは周波数的に散らばっている。この例は図１１に示したＰＲＢペアの３つのセットの例に対応している。
【００４１】
分散されたｅＣＣＥとローカライズドされたｅＣＣＥといった２つのｅＣＣＥのタイプが定義され、これにより２つの種類の送信がサポートされる。分散送信のためのｅＣＣＥは分散軸に沿ってｅＲＥＧをアグリゲーションすることで作成され、つまり、セット内で複数のＰＲＢペアにわたって作成されるが、これは１つのｅＣＣＥのアグリゲーションレベルのｅＰＤＣＣＨについて周波数ダイバーシチ効果を得るためである。ローカライズド送信のためのｅＣＣＥはローカライズド軸に沿って、つまり、ＰＲＢペア内でｅＲＥＧをアグリゲーションすることで構成される。図１２にはこの両方の例が示されている。領域を分散部分とローカライズド部分とに分離するためにポインタが使用され、ここで各部分のＲＥＧは分散タイプと集約（ローカライズド）タイプのｅＣＣＥを形成するために組み合わされる。この例では、ポインタによって分散部分に属するｅＲＥＧ１からｅＲＥＧ１２８までと、ローカライズド部分に属するｅＲＥＧ１２９からｅＲＥＧ１９２までと、に分割されている。したがって、ｅＣＣＥ１−３２は分散部分にあり、ｅＣＣＥ３３−４８はローカライズド部分にある。
【００４２】
「ｅＣＣＥ１」というラベルを付与されたｅＣＣＥは分散されたｅＣＣＥであり、ＰＲＢペア１、２１、４１および６１からのｅＲＥＧにより構成されている。これらのｅＣＣＥのうちの８個は、セット１のシェードを付与された上方の領域によって示されているように、単一のｅＰＤＣＣＨを形成しており、これはｅＣＣ１からｅＣＣＨ８までを含んでいる（これはｅＲＥＧ１からｅＲＥＧ３２までと等価である）。Ｓｅｔ１において下方のシェードを付与された部分は第２のｅＰＤＣＣＨを形成するために２つの分散されたｅＣＣＥ（ｅＣＣＥ１１とｅＣＣＥ１２）のアグリゲーションを示している。
【００４３】
これに対して、「ｅＣＣＥ４８」というラベルを付与されたｅＣＣＥはセット３の最後のほうに位置しており、ローカライズドされたｅＣＣＥであり、ＰＲＢペア６３だけからのｅＲＥＧで構成されている。
【００４４】
したがって、図１２に図示された例のように、拡張制御領域にマッピングされたすべてのｅＣＣＥは番号付けされ、線形のｅＣＣＥ区間を形成する。ｅＰＤＣＣＨのより高いアグリゲーションレベルは、ｅＣＣＥ空間において連続したｅＣＣＥのリソースを組み合わせることによって得られる。拡張制御領域はｅＣＣＥ空間においてポインタを設定することによって、ローカライズドされた部分と分散された部分といった２つの部分に分割され、ここで、ｅＣＣＥと第１部分に属するｅＲＥＧは上述したように分散手法によってアグリゲーションされ、第２部分において、ｅＣＣＥとｅＲＥＧはローカライズド手法によりアグリゲーションされる。反対の手法が採用されてもよく、この場合、第１の部分のｅＲＥＧ／ｅＣＣＥがローカルでアグリゲーションされ、第２の部分のｅＲＥＧ／ｅＣＣＥが分散手法によりアグリゲーションされる。図１２に示した一例では第１の手法が示されており、ここでは最小の番号が付与されたｅＣＣＥたちが分散され、最大の番号を付与されたｅＣＣＥたちがローカライズドされる。
【００４５】
セパレートされたＰＲＢペアについて分散およびローカライズドされたｅＣＣＥが望ましい場合、ポインタは、２つのセットのＰＲＢペアの間に単純に挿入され、この場合は、分散されたｅＰＤＣＣＨの送信とローカライズドされたｅＰＤＣＣＨの送信とが同一のＰＲＢペアには多重化されない。これは図１２に示されたアプローチであり、ポインタはセット２とセット３との間に挿入されている。一方で、狭いシステム帯域やサービスを提供されるユーザの数が制限されている場合、制御オーバヘッドの観点から、分散されたｅＰＤＣＣＨとローカライズドされたｅＰＤＣＣＨとを同時並行で送信することをサポートするいくつかのＰＲＢを設けることが有利であり、これはＰＲＢペアにおける利用可能なｅＲＥＧを２つのグループに分割するようにポインタを設定することによって達成される。
【００４６】
分散部分とローカライズド部分とにｅＰＤＣＣＨリソースを分割するために使用されるポインタは、たとえば、無線リソース制御（ＲＲＣ）シグナリングを使用して、ＵＥ個別を基本として移動端末にシグナリングされてもよい。あるいは、分割は規格によって固定されてもよく、たとえば、ＵＥに対して設定された制御チャネルリソースの数に依存して決定されてもよい。
【００４７】
図１３はいくつかの実施形態にしたがってｅＮＢおよびＵＥにおいて実行されるプロシージャの一例を示す図である。ブロック１３１０に示すように、ｅＮＢはＵＥに対してＭ個のｅＣＣＥを含む拡張制御チャネルリソースを設定する。ブロック１３２０に示すように、ｅＮＢはＵＥに対して拡張制御チャネルリソースを分割するためのポインタを設定し、ｅＲＥＧとｅＣＣＥとを含む拡張制御チャネルリソースを部分Ａと部分Ｂといった２つのパートに分割する。すでに説明したように、この設定は、いくつかの実施形態ではＲＲＣシグナリングを通じて実行されうる。他のシステムでは、ポインタの位置は、ＵＥに対して割り当てられる拡張制御チャネルリソースに基づいて、規格によって定義されるか、および／または、ルールによって決定されてもよい。
【００４８】
図１３のブロック１３１０および１３２０はＵＥのイニシャルコンフィギュレーション（初期設定）を示しているが、残りのブロックは各ダウンリンクサブフレームごとに実行されるプロセスを示している。したがって、所与のサブフレームｋ（ブロック１３３０）について、ｅＮＢは第１の部分でｅＲＥＧを使用して分散されたｅＰＤＣＣＨを送信する一方で、これと並行して、第２の部分においてｅＲＥＧを使用してローカライズドされたｅＰＤＣＣＨを送信する。これはブロック１３４０に示されている。次に、ブロック１３５０および１３６０に示すように、ＵＥはサーチ空間においてｅＰＤＣＣＨのアセンブルする（組み立てる）ことによってｅＰＤＣＣＨについてサーチ空間内をサーチする。ブロック１３５０に示すように、拡張制御チャネルリソースの部分Ａについて、分散手法によってｅＲＥＧをアグリケーションしてｅＣＣＥおよびｅＰＤＣＣＨを形成する。ＵＥはｅＰＤＣＣＨの候補をデコード（復号）し、ＣＲＣをチェックして、当該ＵＥに向けられたｅＰＤＣＣＨが検出されたかどうかを判定する。同様に、ブロック１３６０に示すように、ＵＥはリソースの部分Ｂについてローカライズド手法を使用してｅＲＥＧをアグリゲーションしてｅＰＤＣＣＨの候補を形成し、ＣＲＣをチェックして、当該ＵＥに向けられたｅＰＤＣＣＨが検出されたかどうかを判定する。ブロック１３７０に示すように、いずれかのチェックされたＣＲＣが正しければ、ＵＥはｅＰＤＣＣＨからデコードされたダウンリンク制御情報（ＤＣＩ）にしたがって受信や送信を行う。当該プロセスは、ブロック１３８０に示すように、次のサブフレームであるサブフレームｋ＋１について繰り返し実行される。
【００４９】
いくつかの実施形態にしたがって、チャネル推定の複雑さや分散モードについての信号伝達範囲を制限するために、設定されたポインタによる一方の側のサーチ区間は、分散軸に沿ってアグリゲーションされたｅＰＤＣＣＨの候補から構成される。図１４はこのアグリゲーションの一例を示しており、とりわけ、アグリゲーションレベル１、２、３、および８についてのものである。図１４において最も左に示したものはアグリゲーションレベルがＡＬ＝１のもので、４つのｅＲＥＧ（１つのｅＣＣＥ）がアグリゲーションされており、最も右側に示されているものはアグリゲーションレベルがＡＬ＝８のものである。シェードが付与されているアグリゲーションはアックアグリゲーションレベルについてのサーチ区間を示しており、各シェードが付与されたアグリゲーションは各アグリゲーションレベルについてのサーチ空間におけるｅＰＤＣＣＨの候補を表している。
【００５０】
周波数ドメインにおけるスケジューリングゲインを最大化するために、設定されたポインタによる他方側であるローカライズドされた送信についてのサーチ区間はローカライズド軸に沿ってアグリゲーションされる候補から構成される。これは図１５に示されており、とりわけ、アグリゲーションレベル１、２、３、および８について示されている。また、シェードの付与されたアグリゲーションは各アグリゲーションレベルについてのサーチ空間を示している。
【００５１】
より一般的に言えば、様々な実施形態において、制御チャネルリソースは少なくとも２つの領域に分離されている。１つの領域において時間−周波数リソースの複数の「チャンク」（この「チャンク」はオーバラップしておらず、時には隣接した、時間−周波数リソースエレメントのアグリゲーションである）が、ローカライズド手法によって一緒にアグリゲーションされ、つまり、所与のアグリゲーションにおける複数のチャンクは周波数軸で隣接したリソースおよび時間軸で隣接したリソースの単一のグループのうちから選択される。アグリゲーションされたチャンクは単一の制御チャネルリソース（ＬＴＥのｅＣＣＥ）を形成し、これは（基地局の場合）制御チャネルメッセージをエンコード／送信するために使用され、（移動局の場合）制御チャネルメッセージを受信／デコードするために使用される。他の領域では、複数のチャンクは分散手法によってアグリゲーションされ、つまり、所与のアグリゲーションにおける複数のチャンクが時間−周波数リソースの複数のグループから選択され、各グループは周波数軸上で相互に離間している。
【００５２】
なお、図１２示したシナリオでは、上述したように、小さな番号を付与されたリソースを有している領域において分散されたアグリゲーションが実行され、その一方で、大きな番号を付与されたリソースを有している領域においてローカライズドされたアグリゲーションが実行される。その代わりにこれらは反対に適用されてもよいことは理解されるべきである。
【００５３】
これらの多くの実施形態では、制御チャネルリソースとして使用するために設定されるリソースの、複数の領域への分割は、「ポインタ」によって容易化され、このポインタは基地局によって移動局に対してシグナリング（設定）される。ポインタは制御チャネルリソースにおける分割ポイントを示すためのデータエレメントであり、これにより時間−周波数リソースが２つ（またはそれ以上の）領域に分割（区分）される。
【００５４】
いくつかの実施形態によれば、セット間のボーダー（境界）で常に開始されるｅＣＣＥの番号付与体系の構造を維持するために、ローカライズドされたｅＣＣＥの番号付けは逆順で実行されることが便利なことがあり、これはとりわけ、セット間ではなくＰＲＢペアのセット内に、設定されたポインタが挿入されるケースである。このアプローチの例は図１６に示されており、ローカライズドされたｅＣＣＥにはセット３の右下から番号付与がｅＣＣＥ２５により開始され、セット２の中央におけるｅＣＣＥ４８まで連続して付与される。図１６に示しように、ローカライズドされたｅＣＣＥからｅＰＤＣＣＨの候補を形成するための開始ｅＣＣＥの位置（ｅＣＣＥ４０）と、分散されたｅＣＣＥについての開始位置（ｅＣＣＥ１）は、番号を付与されたｅＣＣＥの範囲における両端の位置または両端に近い位置に配置され、これにより、第１の制御チャネルメッセージを形成するために使用された順番とは反対の順番にしたがって番号付与されたｅＣＣＥを辿ってゆくことにより第２の制御チャネルメッセージが形成されるようになる。
【００５５】
この手法は、ローカライズドされたｅＣＣＥ空間が１つのＰＲＢペア内に収まらないといった、高いアグリゲーションレベルについての問題を解決する。換言すれば（より一般的にいえば）、分割ポイントから最も遠く離れた、領域内の「エンド（端）」から、ローカライズドされたアグリゲーションについて指定された領域内の制御チャネルリソースを割り当てることを開始することが有利である。これは基地局において、制御チャネルメッセージを組み立て、エンコードし、送信する目的だけでなく、移動局においてｅＣＣＥの境界を識別し、ｅＣＣＥサーチ空間にわたって動作することについて実行される。図１６に示したように、これはＰＲＢペアの境界に出くわす前に動作「空間」を増加させ、２つのＰＲＢペア間にｅＣＣＥを分離配置することなく、または、１つ以上の時間−周波数リソースをスキップすることなく形成可能となる高いアグリゲーションレベルのｅＣＣＥの数を最大にする。
【００５６】
共通の基本ビルディングブロックとしてｅＲＥＧを使用するといったコンセプトは、ｅＰＤＣＣＨ以外の、ｅＰＢＣＨ、ｅＰＣＦＩＣＨまたはｅＰＨＩＣＨなどのような他の制御チャネルにも拡大して適用可能である。とりわけ、負荷が低いときに制御チャネルオーバヘッドを制限するために、同一のリソースセット内に複数のタイプの制御チャネル構成を多重化できるようにすることは有利であろう。これは、空間を複数の部分に分離する複数のポインタを使用することによって解決される。この手法の一例が図１７に示されており、分散サーチ空間（このうちの一部は共通サーチ空間であってもよい）と、ローカライズドされたＵＥ個別のサーチ空間（ＵＳＳ）と、ｅＰＨＩＣＨのために予約された中間の空間といった３つの領域にｅＣＣＥが分割されている。
【００５７】
いくつかのケースでは、性能上の利点が得られ、これはｅＰＤＣＣＨのような単一の制御チャネルを受信する目的で、単一のＵＥによって監視される拡張制御領域を、当該ＵＥによって監視されるすべての制御領域である複数の制御領域に分割することによって実現される。この手法では、サーチ空間のパーティションの数と、それらの開始位置と終了位置とを示すために複数のポインタが使用される。各パーティションはそれぞれ個別に２つの部分にさらに分割され、そのうちの第１の部分は分散配置に利用され、第２の部分はローカライズド配置に利用される。制御領域の区分化（パーティション化）と、分散配置とローカライズド配置への細分化（サブパーティション化）との両方は、ＵＥ個別の手法により実行される。この手法は図１８に示されており、ここでは３つのパーティションが示されている。第１のパーティションはその全範囲が分散サーチ空間に割り当てられており、残りの２つのパーティションはそれぞれ分散部分とローカライズド部分とに分割されている。
【００５８】
この手法の他の観点によれば、制御領域の全体の終了位置をシグナリングするためにポインタが使用されてもよい。このポインタは、拡張制御領域についてＵＥによって使用されることになっているＲＢＧクラスタのシグナリングと合わせて使用されてもよい。ＲＢＧクラスタのシグナリングとポインタとの組み合わせは効率の良いシグナリングメカニズムをもたらし、最後のＲＢＧクラスタの部分だけを制御領域が使用することを可能とし、制御領域のサイズを定義する際のさらなる柔軟性をもたらす。たとえば、システム帯域が１００個のＲＢで構成されているケースでは、ＲＢＧサイズは４個のＰＲＢである。したがって、ｅＮＢによってＵＥに対して制御領域がシグナリングされるときに、ｅＮＢは１つのクラスタまたは２つのクラスタのどちらかをシグナリングできる。１つのクラスタは４セット（これはＰＲＢサイズに等しい）をもたらし、１セットあたり４個のＰＲＢが存在するため、トータルで１６個のＰＲＢとなる。２つのクラスタは３２個のＰＲＢをもたらす。１つのクラスタは少なすぎる数のＰＲＢであってもよく、２つのクラスタは不必要に大きくされてもよい。このシチュエーションでは制御領域のエンドポインタを使用することで、ＵＥに対して、最後のクラスタにおいて制御領域が終了することをシグナリングすることができる。これは少ないオーバヘッドと制御領域を柔軟に定義する能力をもたらす。
【００５９】
複雑さの制限によって、ＵＥによって実行可能なブラインドデコード（復号）の数が限定される。本技術のいくつかの実施形態によれば、ＵＥは複数の制御領域パーティションのそれぞれにおいてｅＰＤＣＣＨの後方をモニター（監視）しなければならないように、ブラインド復号の候補は分散される。たとえば、いくつかの実施形態によれば、各ＵＥは定義されたパーティションのそれぞれにおいて少なくとも１つのブラインド復号の候補を持つことになろう。
【００６０】
ＬＴＥのリリース８では、ランダム化のプロセスを用いてブラインド復号の候補が決定され、制御領域内の開始ＣＣＥ位置はＵＥのＲＮＴＩとサブフレーム番号とに基づいて決定される。モニターされる必要があるブラインド復号の候補の番号はこの開始ＣＣＥ位置から順番に選択される。ブラインド復号の候補が各サブフレームごとに変化するようにランダム化が実行される。制御領域における各パーティション内の分散領域またはローカライズド領域そのそれぞれ内で類似のランダム化プロシージャが実行されるように、ここで開示した技術や装置とともに類似したアプローチを使用可能である。このプロシージャはあたかもリリース８の完全な制御領域であるかのように各サブ領域について個別に実施される。このアプローチの一例が図１９に示されている。なお、このケースでは、パーティションはＰＲＢペアのセットと同じであるが、これは一般的なケースではない。
【００６１】
とりわけ、リリース８のランダム化プロシージャによって使用される値の１つはＮＣＣＥ，ｋであり、サブフレームにおける制御領域内のＣＣＥのトータルでの数である。いくつかの実施形態では同一のランダム化プロシージャが使用されるが、ＮＣＣＥ，ｋの値には全体の制御領域における１つのパーティションの分散セクションまたはローカライズドセクション内におけるｅＣＣＥのトータル数が設定される。したがって、図１９に示した例では、４８個のｅＣＣＥ制御領域が、それぞれ１６個のｅＣＣＥからなる３つのパーティションに区分される。第２および第３のパーティションはさらに、それぞれ８個のｅＣＣＥからなる分散セクションとローカライズドセクションとに分離される。サーチ区間のランダム化が、たとえば、パーティション２の分散配置部分内で実行されるときは、ＮＣＣＥ，ｋの値は８に設定される。リリース８において使用されているものとは異なるランダム化のプロシージャが使用されてもよい。
【００６２】
ｅＰＤＣＣＨのためにＲＢＧを十分に使用できない状況も想定され、そのようなケースではＲＢＧ内のいくつかのリソースが無駄になってしまうだろう。リソースの利用効率を最大化するためには、ＵＥがこれらのリソースも使用できるようにすれば有用であろう。しかしながら、ｅＰＤＣＣＨについてＲＢＧのどの部分が使用されているかを示す知識（情報）が必要になる。しかし、他のＵＥに対してｅＰＤＣＣＨを送信するために使用されているＲＢＧにおいてＵＥがデータを受信する場合、データを受信するＵＥは、他のＵＥのｅＰＤＣＣＨについてのサイズと位置の情報を有していないだろう。いくつかの実施形態によれば、ＲＢＧ内でｅＰＤＣＣＨを受信するＵＥはＲＢＧ内の残りのリソースを、データのために利用するが、これはｅＰＤＣＣＨを搬送するＲＢＧがデータのために割り当てられたことをｅＰＤＣＣＨがシグナリングするときである。すなわち、ＤＣＩメッセージにおいてダウンリンクのＰＤＳＣＨリソースの割り当てが、ＤＣＩメッセージが受信されたＲＢＧを含む場合に、ＵＥはＲＢＧにおける残りのＲＢがＰＤＳＣＨを含むものと認識する。
【００６３】
上述した発明性のある技術は分散ｅＰＤＣＣＨ送信とローカライズドｅＰＤＣＣＨ送信との両方についての共通サーチ空間のデザインを提供するものであり、これはＰＤＳＣＨのスケジューリングの柔軟性に対するインパクトが低く、リソースを効率良く使用するものである。これらの技術は、分散されたサーチ空間のチャネル推定の複雑さを制限しつつ、かつ、ローカライズドされたサーチ空間におけるスケジューリングゲインを最大化しつつ、ローカライズされたサーチ空間および分散サーチ空間を物理リソースにマッピングする方法を提供するものである。このサーチ空間デザインは、同一のＰＲＢペアにおいてローカライズドと分散とを混在させるときに、あるアグリゲーションレベルでのローカライズドされた送信が複数のＰＲＢにわたって分割されてしまう問題を解決する。
【００６４】
上述した特別の例を念頭におくと、図２０は無線ネットワークノードによって制御されるセルに収容されるＵＥにおいて制御情報を受信する方法を一般化して示したプロセスフローダイアグラムであることを理解できるであろう。ここで、制御領域は、複数のｅＲＥＧにより構成されており、これらはｅＣＣＥへとアグリゲーションされ、これらはさらに制御チャネルメッセージ（たとえば、ダウンリンク制御情報（ＤＣＩ）メッセージ）を含む制御チャネルへとアグリゲーションされる。ブロック２０１０が示すように、例示的な方法は、拡張制御領域を含むダウンリンク信号の受信から開始される。ブロック２０２０が示すように、ＵＥは、拡張制御領域におけるＰＲＢペアの第１のセットから分散されたｅＣＣＥを形成するが、これは、ｅＲＥＧがＰＲＢペアの第１のセットに属しているときにｅＣＣＥを形成するために複数のＰＲＢペアからのｅＲＥＧをアグリゲーションすることによって実行される。ブロック２０３０が示すように、ＵＥは、ｅＲＥＧがＰＲＢペアの第２のセットに属しているときにｅＣＣＥを形成するために同一のＰＲＢペアからのｅＲＥＧをアグリゲーションすることによって、ＰＲＢペアの第２のセットからローカライズドされたｅＣＣＥを形成する。
【００６５】
ブロック２０４０に図示されたオプションが示すように、いくつかの（ただし、すべてではない）実施形態では、ＰＲＢペアの第３のセットにおいてｅＲＥＧから、分散されたｅＣＣＥとローカライズドされたｅＣＣＥとの両方が形成されるが、これはＰＲＢペアのセットの端部ではなく中央部で分散部分とローカライズド部分とに拡張制御領域が分割されるケースであろう。より詳細には、１つ以上の追加の分散されたｅＣＣＥがＰＲＢペアの第３のセットから形成され、これは、各追加の分散されたｅＣＣＥを形成するために複数のＰＲＢペアからの物理レイヤービルディングブロックのアグリゲーションによって実現され、さらに、１つ以上の追加のローカライズドされたｅＣＣＥがＰＲＢペアの第３のセットから形成され、これは、各追加のローカライズドされたｅＣＣＥが第３のセットにおける単一のＰＲＢペア内からの物理レイヤービルディングブロックから形成されるように、物理レイヤービルディングブロックをアグリゲーションすることによって実現される。
【００６６】
ブロック２０５０に示すように、ｅＣＣＥは制御チャネルメッセージの候補を形成するためにアグリゲーションされる。いくつかのケースでは、２、４、８個のｅＣＣＥがアグリゲーションされ、候補メッセージが形成される。ブロック２０６０が示すように、これらの制御チャネルメッセージの候補は復号され、当該ＵＥについての実際の制御チャネルメッセージであるかどうかが判定される。
【００６７】
すでに詳細に説明した例が示すように、図２０に示した技術はＬＴＥネットワークにおいて実行されるが、物理レイヤービルディングブロックは８個または９個のリソースエレメントを有するｅＲＥＧである。しかし、本技術は、同様に他の無線通信ネットワークに対しても適用可能である。
【００６８】
いくつかの実施形態によれば、図２０に示した動作は、制御ノードからのシグナリング（例：ＲＲＣシグナリング）をＵＥが受信するのに先立って実行されてもよく、ここでこのシグナリングはＰＲＢペアの第１のセットと第２のセットへと複数のＰＲＢペアを分割することを示す。いくつかのケースでは、シグナリングは、ＰＲＢペアのセットにおける分割ポイントを示してもよく、分割ポイントは当該セットを追加のローカライズドされたｅＣＣＥを形成するために使用される第１の部分と、追加の分散されたｅＣＣＥを形成するために使用される第２の部分とに分割するものである。
【００６９】
いくつかの実施形態では、分散されたｅＣＣＥとローカライズドされたｅＣＣＥとから制御チャネルメッセージを形成することには、拡張制御領域における開始ｅＣＣＥの位置を判定することが含まれ、開始ｅＣＣＥの位置は、ダウンリンク信号についてのサブフレーム番号と、そのユーザ装置についての無線ネットワークテンポラリー識別子（ＲＮＴＩ）とにしたがって、変化する。いくつかの制御チャネルメッセージの候補は、開始ｅＣＣＥ位置から開始されるｅＣＣＥから形成される。なお、いくつかのケースでは、開始ｅＣＣＥ位置を決定することと、いくつかの制御チャネルメッセージの候補を形成することは、ローカライズドされたｅＣＣＥと分散されたｅＣＣＥとでそれぞれ個別に実行される。またいくつかのケースでは、ｅＲＥＧとｅＣＣＥの番号付けは第１のセットと比較して第２のセットでは逆順で実行されてもよい。
【００７０】
基地局において実施される制御チャネルメッセージを形成して送信するための対応する方法は、上述したものから直接的に理解されるであろう。図２１はそのような方法の一例を示しており、ブロック２１１０が示すように、物理リソースブロックペアの第１のセットにおいて分散されたｅＣＣＥに対して第１の制御チャネルメッセージをマッピングすることから開始される。分散されたｅＣＣＥのそれぞれは複数のＰＲＢペアからの物理レイヤービルディングブロックのアグリゲーションしたものから構成される。ブロック２１２０が示すように、基地局は、物理リソースブロックペアの第２のセットにおいてローカライズドされたｅＣＣＥに対して第２の制御チャネルメッセージをマッピングする。ローカライズドされたｅＣＣＥのそれぞれは単一のＰＲＢペアからの物理レイヤービルディングブロックのアグリゲーションしたものから構成される。ブロック２１３０におけるオプションの動作が示すように、いくつかの実施形態では、第３および第４の制御チャネルメッセージが、ＰＲＢペアの第３のセットにおける分散されたｅＣＣＥとローカライズドされたｅＣＣＥとにそれぞれマッピングされてもよい。ＰＲＢペアのこれらのセットは、一緒になって、拡張制御領域を形成する。この拡張制御領域は、上述した制御チャネルメッセージを搬送するものであり、ブロック２１４０において示すように、ダウンリンク信号のサブフレーム内で送信される。
【００７１】
図示した方法についてのいくつかの実施形態によれば、分散されたｅＣＣＥとローカライズドされたｅＣＣＥとに第１の制御チャネルメッセージと第２の制御チャネルメッセージとをマッピングすることは、２つ以上のローカライズドされたｅＣＣＥまたは２つ以上の分散されたｅＣＣＥをアグリゲーションしたものに対して制御チャネルメッセージをマッピングすることを含む。いくつかのケースでは本方法に先立って第１のＰＲＢペアと第２のＰＲＢペアとに複数のＰＲＢペアを分割することを示すＲＲＣシグナリングの送信が実行されてもよい。いくつかのケースでは当該シグナリングは、ＰＲＢペアの第３のセットを、ローカライズドされたｅＣＣＥに割り当てられた制御チャネルメッセージのために使用される第１の部分と、分散されたｅＣＣＥに割り当てられた制御チャネルメッセージのために使用される第２の部分とに分割する分割ポイントを示してもよい。
【００７２】
これらの方法を実行するように（たとえば、プログラミングされているか、または、ハードウエアにより構成された処理回路を使用して）適合した対応する装置の実施形態、つまり、上述の説明に直接的にしたがったユーザ装置／移動局などの装置や基地局（例：ｅＮｏｄｅＢ）などの装置についても理解できるであろう。より具体的には、上述した技術や方法における機能は、移動局や基地局内に電子データ処理回路を使用して実装されることを理解されるであろう。もちろん、移動局や基地局のそれぞれは、ＬＴＥのフォーマットやＬＴＥのプロトコルなどの基地虚のフォーマットやプロトコルにしたがってフォーマット化された無線信号を受信および送信する適切な無線回路を有している。
【００７３】
図２２は、ここで開示した技術についてのいくつかの実施形態に従った例示的な通信ノード２２００の特徴を示している。物理的なサイズや電力要件などの特徴だけでなく、詳細な構成については変更しうるものであるが、通信ノード２２００の構成要素の一般的な特徴については無線基地局と移動局との両方で共通となる。さらに、ローカライズドの手法と分散の手法との両方において、制御チャネルエレメントを形成するために、時間−周波数リソースをアグリゲーションするための上述した１つまたは複数の技術を実行するように、無線基地局と移動局との両方が適合していてもよい。
【００７４】
通信ノード２２００は（基地局であるケースでは）移動端末と通信する通信装置２２２０または（移動端末であるケースでは）１つ以上の基地局と通信する通信装置２２２０と、当該通信装置２２２０によって送信される信号や受信された信号を処理する処理回路２２１０を有している。通信装置２２２０は、１つ以上の送信アンテナ２２２８と結合された送信機２２２５と、１つ以上の受信アンテナ２２３３と結合された受信機２２３０とを有しうる。送信または受信のために同一のアンテナ２２２８、２２３３が使用されてもよい。受信機２２３０と送信機２２２５は、ＬＴＥおよび／またはＬＴＥアドバンスドのための３ＧＰＰ規格のように特定の通信標準規格にしたがった既知の無線処理部や信号処理部を使用する。そのような回路の実装や設計に関連した技術的なトレードオフや様々な詳細については既知であり、ここで開示した技術や装置を理解するためには必要がないため、追加の詳細な説明は省略される。
【００７５】
処理回路２２１０は、１つ以上のプロセッサ２２４０、ファームウエア、またはこれらを組み合わせたものを有しており、これは１つ以上のメモリデバイス２２５０に接続されており、メモリデバイス２２５０はデータ記憶メモリ２２５５とプログラム記憶メモリ２２６０とを有している。メモリ２２５０は、リードオンリーメモリ（ＲＯＭ）、ランダムアクセスメモリ、キャッシュメモリ、フラッシュメモリデバイス、光記憶デバイスなど、ひとつまたは複数の種類の記憶装置を有していてもよい。また、移動デバイスや無線基地局についてのベースバンド処理回路のデザインに関連した様々な詳細やエンジニアリングトレードオフは既知であり、ここで開示した技術や装置を理解する上では必要がないため、追加の詳細な説明は省略される。処理回路２２１０の典型的な機能は、送信信号の変調やコーディングと受信信号の復調やデコーディングを含む。いくつかの実施形態では、たとえば、ユーザ装置において制御情報を受信したり、基地局から制御情報を送信したりするために、上述した１つ以上の技術を実行するために、プログラム記憶メモリ２２６０に記憶された適切なプログラムコードを使用して、処理回路２２１０は適合される。もちろん、これらの技術のうちのすべてが、単一のモジュールや単一のマイプロプロセッサで実行される必要はない。したがって、ここで開示された技術の実施形態は、基地局の装置向けの対応するコンピュータプログラムプロダクトだけでなく、ユーザ装置向けのコンピュータプログラムプロダクトを含む。
【００７６】
例示的なコンピュータプログラムプロダクトは、プログラム記憶メモリ２２６０などのノントランジトリー（非一時的）なコンピュータ可読記憶媒体を有し、コンピュータ可読記憶媒体は、ＵＥのプロセッサにより実行されるように構成されたコンピュータプログラムインストラクションを含む。当該コンピュータプログラムインストラクションは、たとえば、物理リソースブロック（ＰＲＢ）ペアの少なくとも２つのセットにより構成された拡張された制御領域を含むダウンリンク信号をＵＥに受信させるプログラムインストラクションを含み、ここで各ＰＲＢペアは相互にオーバラップしていない物理レイヤービルディングブロックのグループから構成されており、さらに、分散された拡張制御チャネルエレメント（ｅＣＣＥ）のそれぞれを形成するために複数のＰＲＢペアからの物理レイヤービルディングブロックをアグリゲーションすることによってＰＲＢペアの第１のセットから１つ以上の分散されたｅＣＣＥをＵＥに形成させるプログラムインストラクションと、ＰＲＢペアの第２のセットにおける単一のＰＲＢペア内の物理レイヤービルディングブロックから各ローカライズドされたｅＣＣＥが形成されるよう物理レイヤービルディングブロックをアグリゲーションすることによってＰＲＢペアの第２のセットから１つ以上のローカライズドされたｅＣＣＥをＵＥに形成させるプログラムインストラクションと、分散されたｅＣＣＥから第１の制御チャネルメッセージの候補を形成させ、ローカライズドされたｅＣＣＥから第２の制御チャネルメッセージの候補をＵＥに形成させるプログラムインストラクションと、有効な制御チャネルメッセージをサーチするために第１の制御チャネルメッセージの候補と第２の制御チャネルメッセージの候補をＵＥにデコードさせるプログラムインストラクションとを含む。
【００７７】
同様に、基地局において使用される他の例示的なコンピュータプログラムプロダクトは、プログラ記憶メモリ２２６０のような非一時的なコンピュータ可読記憶媒体を含む。このケースでは、コンピュータ可読記憶媒体は、基地局の装置におけるプロセッサによって実行されるように構成されたコンピュータプログラムインストラクションを含む。当該コンピュータプログラムインストラクションは、物理リソースブロック（ＰＲＢ）ペアの少なくとも２つのセットにより構成された拡張された制御領域を含むダウンリンク信号を基地局に送信させるプログラムインストラクションを含み、ここで各ＰＲＢペアは相互にオーバラップしていない物理レイヤービルディングブロックのグループから構成されており、さらに、ＰＲＢペアの第１のセットにおける分散された拡張制御チャネルエレメント（ｅＣＣＥ）に対して１つ以上の第１の制御チャネルメッセージを基地局にマッピングさせるプログラムインストラクションを含み、ここで、分散されたｅＣＣＥのそれぞれは複数のＰＲＢペアからの物理レイヤービルディングブロックをアグリゲーションしたものから形成されており、さらに、ＰＲＢペアの第２のセットにおけるローカライズドされたｅＣＣＥに対して１つ以上の第２の制御チャネルメッセージを基地局にマッピングさせるプログラムインストラクションを含み、ここで、ローカライズドされたｅＣＣＥのそれぞれは、単一のＰＲＢペア内の物理レイヤービルディングブロックをアグリゲーションしたものから形成されており、さらに、ダウンリンク信号のサブフレームにおいて第１の制御チャネルメッセージと第２の制御チャネルメッセージとを基地局に送信させるプログラムインストラクションを含む。
【００７８】
当業者であれば、ここに開示した技術や装置の範囲から逸脱することなく上述した実施形態に対して様々な変更を適用しうるであろう。たとえば、上述の実施形態では３ＧＰＰネットワークの一部を参照しながら説明を行ったが、実施形態は３ＧＰＰネットワークの後継版など、類似の機能コンポーネントを有した同様のネットワークにも適用可能であることも理解されよう。したがって、上述した説明や添付の図面および添付の特許請求の範囲において使用されている用語と関連づけられているかまたは関連した用語や現在または将来版の３ＧＰＰの用語は同様に理解されるであろう。
【００７９】
特定の実施形態の図解を用いていくつかの実施形態の例示について詳細に説明した。もちろん、コンポーネントや技術のあり得る組み合わせについて記述することが可能であるため、当業者であれば、本願の技術や装置は、必須の特徴から逸脱することなく、ここで特別に説明したものとは異なる手法でもって実装可能であることを理解するであろう。本願の実施形態は一切の限定の目的ではなく、すべて図解の目的で提供されているものと理解されなければならない。
【００８０】
これらのバリエーションは他のバリエーションを考慮すれば、上述の説明や添付の図面は拡張された制御チャネル情報を形成し、送信し、受信し、復調し、デコードするためにここで教示されたシステムや装置の非限定的な例を示していることを、当業者であれば理解するであろう。開示されたシステムや装置は上述した説明や添付の図面によって限定されるものではない。
【図１】
2019205174.tif 000003
【図２】
2019205174.tif 000004
【図３】
2019205174.tif 000005
【図４】
2019205174.tif 000006
【図５】
2019205174.tif 000007
【図６】
2019205174.tif 000008
【図７】
2019205174.tif 000009
【図８】
2019205174.tif 000010
【図９】
2019205174.tif 000011
【図１０】
2019205174.tif 000012
【図１１】
2019205174.tif 000013
【図１２】
2019205174.tif 000014
【図１３】
2019205174.tif 000015
【図１４】
2019205174.tif 000016
【図１５】
2019205174.tif 000017
【図１６】
2019205174.tif 000018
【図１７】
2019205174.tif 000019
【図１８】
2019205174.tif 000020
【図１９】
2019205174.tif 000021
【図２０】
2019205174.tif 000022
【図２１】
2019205174.tif 000023
【図２２】
2019205174.tif 000024
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
明細書に記載された発明。
【外国語明細書】
2019205174000001.pdf